(57)【特許請求の範囲】
【請求項１】
被検者の生体内の水分量を測定する体内水分計であって、
測定結果を表示するように構成され、バックライト部を有する表示部と、
前記体内水分計の短軸方向の加速度を検出する加速度センサ部と、
前記加速度センサ部による検出結果に基づいて、前記体内水分計の短軸方向の傾きを算出し、水分量の測定が開始されるまでの間、前記バックライト部の点灯を、前記算出した傾きに基づいて制御し、その後、測定が完了し、前記表示部に測定結果を表示するタイミングに応じて前記バックライト部を所定時間にわたって点灯するよう制御する制御部と
を備えることを特徴とする体内水分計。
【請求項２】
被検者の生体内の水分量を測定する体内水分計であって、
測定結果を表示するように構成され、バックライト部を有する表示部と、
水分量を測定するためのセンサ部が配された先端面に配された先端ライト部と、
前記体内水分計の短軸方向の加速度を検出する加速度センサ部と、
前記加速度センサ部による検出結果に基づいて、前記体内水分計の短軸方向の傾きを算出し、水分量の測定が開始されるまでの間、前記先端ライト部の点灯を、前記算出した傾きに基づいて制御し、その後、測定が完了し、前記表示部に測定結果を表示するタイミングに応じて前記バックライト部を所定時間にわたって点灯するよう制御する制御部と
を備えることを特徴とする体内水分計。
【請求項３】
被検者の生体内の水分量を測定する体内水分計であって、
測定結果を表示するように構成され、バックライト部を有する表示部と、
水分量を測定するためのセンサ部が配された先端面とは反対側の後端面に配された後端ライト部と、
前記体内水分計の短軸方向の加速度を検出する加速度センサ部と、
前記加速度センサ部による検出結果に基づいて、前記体内水分計の短軸方向の傾きを算出し、水分量の測定が開始されるまでの間、前記後端ライト部の点灯を、前記算出した傾きに基づいて制御し、その後、測定が完了し、前記表示部に測定結果を表示するタイミングに応じて前記バックライト部を所定時間にわたって点灯するよう制御する制御部と
を備えることを特徴とする体内水分計。
【請求項４】
前記制御部は、前記バックライト部の点灯を制御する第１のモードと、前記バックライト部の点灯を制御しない第２のモードとを切り換え可能であり、前記第１のモードにおいても、所定時間にわたって前記体内水分計の短軸方向の傾きに変化がなかった場合には、前記バックライト部を消灯するよう制御することを特徴とする請求項１乃至３のいずれか１項に記載の体内水分計。
【請求項５】
前記制御部は、前記先端ライト部の点灯を制御する第１のモードと、前記先端ライト部の点灯を制御しない第２のモードとを切り換え可能であり、前記第１のモードにおいても、所定時間にわたって前記体内水分計の短軸方向の傾きに変化がなかった場合には、前記先端ライト部を消灯するよう制御することを特徴とする請求項２に記載の体内水分計。
【請求項６】
前記制御部は、前記後端ライト部の点灯を制御する第１のモードと、前記後端ライト部の点灯を制御しない第２のモードとを切り換え可能であり、前記第１のモードにおいても、所定時間にわたって前記体内水分計の短軸方向の傾きに変化がなかった場合には、前記後端ライト部を消灯するよう制御することを特徴とする請求項３に記載の体内水分計。
【請求項７】
周辺環境の明るさを検知する環境センサ部を更に備え、
前記制御部は、前記環境センサ部により検知された明るさに基づいて、前記第１のモードと前記第２のモードとの切り換えを制御することを特徴とする請求項４乃至６のいずれか１項に記載の体内水分計。
【発明の詳細な説明】
【技術分野】
【０００１】
本発明は、被検者の生体内の水分量を測定する体内水分計に関するものである。
【背景技術】
【０００２】
被検者の生体内の水分量を測定することは重要である。生体における脱水症状は、生体内の水分が減少する病態であり、発汗や体温上昇により多くの水分が体内から体外に排出される運動時や気温の高い時に多く発現する。【０００３】
通常、生体内の水分が体重の３％以上失われた時点で体温調整の障害が起こると言われている。体温調整の障害が起こり体温が上昇すると、生体内の更なる水分の減少を引き起こすため悪循環に陥り、遂には熱中症と称される病態に至ることとなる。熱中症には、熱痙攣、熱疲労、熱射病等の病態があり、時には全身の臓器障害が起こることもある。【０００４】
このようなことから、被検者の様態に異変が生じた場合には、被検者の生体内の水分量を確認し、被検者に対して適切な処置を施すことが重要となってくる。このため、医療現場においては、屋内外を問わず、様々な環境下で被検者の生体内の水分量を正しく測定できる体内水分計が求められている。
【先行技術文献】
【特許文献】
【０００５】
【特許文献１】特開２０１２−１７６１２０号公報
【発明の概要】
【発明が解決しようとする課題】
【０００６】
しかしながら、周辺環境によっては、被検者の生体内の水分量を測定者が正しく把握することが困難なケースも想定される。例えば、周辺環境が暗い場合には、被検者の測定部位（腋窩）に体内水分計を適確に押圧させることが困難であり、また、適確に押圧し測定できたとしても、測定結果を視認することができないといった事態も生じえる。【０００７】
このようなことから、医療現場において用いられる体内水分計においては、周辺環境によらずに、測定者が、被検者の生体内の水分量を正しく把握できる構成とすることが望ましい。【０００８】
本発明は上記課題に鑑みてなされたものであり、測定者が、被検者の生体内の水分量を正しく把握することが可能な体内水分計を提供することを目的とする。
【課題を解決するための手段】
【０００９】
本発明の１つの側面は、被検者の生体内の水分量を測定する体内水分計であって、測定結果を表示するように構成され、バックライト部を有する表示部と、前記体内水分計の短軸方向の加速度を検出する加速度センサ部と、前記加速度センサ部による検出結果に基づいて、前記体内水分計の短軸方向の傾きを算出し、水分量の測定が開始されるまでの間、前記バックライト部の点灯を、前記算出した傾きに基づいて制御し、その後、測定が完了し、前記表示部に測定結果を表示するタイミングに応じて前記バックライト部を所定時間にわたって点灯するよう制御する制御部とを備える。
本発明の他の側面は、被検者の生体内の水分量を測定する体内水分計であって、測定結果を表示するように構成され、バックライト部を有する表示部と、水分量を測定するためのセンサ部が配された先端面に配された先端ライト部と、前記体内水分計の短軸方向の加速度を検出する加速度センサ部と、前記加速度センサ部による検出結果に基づいて、前記体内水分計の短軸方向の傾きを算出し、水分量の測定が開始されるまでの間、前記先端ライト部の点灯を、前記算出した傾きに基づいて制御し、その後、測定が完了し、前記表示部に測定結果を表示するタイミングに応じて前記バックライト部を所定時間にわたって点灯するよう制御する制御部とを備える。
本発明の更に他の側面は、被検者の生体内の水分量を測定する体内水分計であって、測定結果を表示するように構成され、バックライト部を有する表示部と、水分量を測定するためのセンサ部が配された先端面とは反対側の後端面に配された後端ライト部と、前記体内水分計の短軸方向の加速度を検出する加速度センサ部と、前記加速度センサ部による検出結果に基づいて、前記体内水分計の短軸方向の傾きを算出し、水分量の測定が開始されるまでの間、前記後端ライト部の点灯を、前記算出した傾きに基づいて制御し、その後、測定が完了し、前記表示部に測定結果を表示するタイミングに応じて前記バックライト部を所定時間にわたって点灯するよう制御する制御部とを備える。
【発明の効果】
【００１０】
本発明によれば、測定者が、被検者の生体内の水分量を正しく把握することが可能となる。【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施の形態を示し、その記述と共に本発明の原理を説明するために用いられる。
【図１】図１は、本発明の第１の実施形態にかかる体内水分計１００の外観構成を示す図である。
【図２】図２は、体内水分計１００の使用例を示す図である。
【図３】図３は、体内水分計１００の機能構成を示す図である。
【図４】図４は、体内水分計１００の測定回路を説明するための図である。
【図５】図５は、体内水分計１００の水分量測定処理の流れを示すフローチャートである。
【図６】図６は、本発明の第３の実施形態にかかる体内水分計６００の外観構成を示す図である。
【図７】図７は、体内水分計６００の水分量測定処理の流れを示すフローチャートである。
【図８】図８は、本発明の第５の実施形態に係る体内水分計８００の機能構成を示す図である。
【図９】図９は、体内水分計８００の短軸の角度と先端ライト部の点灯／消灯との関係、及びバックライト部の点灯／消灯との関係を示す図である。
【図１０Ａ】図１０Ａは、体内水分計８００の水分量測定処理の流れを示すフローチャートである。
【図１０Ｂ】図１０Ｂは、体内水分計８００の水分量測定処理の流れを示すフローチャートである。
【図１１】図１１は、体内水分計８００のモードを説明するための図である。
【発明を実施するための形態】
【００１３】
以下、本発明の各実施形態について添付図面を参照しながら詳細に説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
［第１の実施形態］
＜１．体内水分計の外観構成＞
図１は、本実施形態に係る体内水分計１００の外観構成の一例を示す図である。体内水分計１００は、被検者の体表面である腋窩の皮膚にセンサ部１２１を接触させ、センサ部１２１において供給した電気信号に応じた物理量を検出することで被検者の体内の水分量を検出する。本実施形態に係る体内水分計１００では、当該物理量（生体内の水分に関するデータ）として被検者の静電容量を測定することにより、腋窩の皮膚の湿り具合を検出し、体内の水分量を算出する。
【００１５】
図１に示すように、体内水分計１００は本体部１１０と挿入部１２０とを備える。本体部１１０は、上面１１４、下面１１５、側面１１６、１１７がそれぞれ長軸方向（不図示）に略平行に形成されており、全体として、直線状に形成されている。また、本体部１１０の筐体表面には、各種ユーザインターフェースが配置され、筐体内部には体内の水分量を算出するための電子回路が収納されている。
【００１６】
図１の例では、ユーザインターフェースとして、電源スイッチ１１１及び表示部１１２が示されている。電源スイッチ１１１は、本体部１１０の後端面１１３の凹部に配されている。このように凹部に電源スイッチ１１１を配する構成とすることで、電源スイッチ１１１の誤操作を防ぐことができる。なお、電源スイッチ１１１がオンされると後述の電源部３１１（図３）から体内水分計１００の各部への電源供給が開始され、体内水分計１００は動作状態となる。
【００１７】
表示部１１２は、本体部１１０の側面１１７上において、長軸方向のやや前方側に配されている。これは、体内水分計１００を用いて被検者の体内水分量を測定するにあたり、測定者が把持領域１１８を把持した場合であっても、測定者の把持した手で表示部１１２が完全に覆われることがないようにするためである（把持した状態でも表示内容が視認できるようにするためである）。また、表示部１１２には、バックライト部が設けられており、周辺環境が暗い場合であっても、測定者が表示内容を視認できるよう構成されている。
【００１８】
表示部１１２には、今回の水分量の測定結果１３１が表示される。また、参考として前回の測定結果１３２もあわせて表示される。さらに、電池表示部１３３には、電池（図３の電源部３１１）の残量が表示される。また、無効な測定結果が得られた場合や測定エラーが検出された場合には、表示部１１２に“Ｅ”が表示され、その旨がユーザに報知される。なお、表示部１１２に表示される文字等は、本体部１１０の上面１１４側を上とし、下面１１５側を下として、表示されるものとする。
【００１９】
体内水分計１００の挿入部１２０は、上面１２４及び下面１２５が曲面形状を有しており、本体部１１０に対して、全体として、下向きに緩やかに湾曲している。挿入部１２０の先端面１２２（後端面１１３とは反対側の端面）には、センサ部１２１がスライド可能に保持されている。
【００２０】
センサ部１２１は、先端面１２２に略平行な接触面１２３を有しており、センサ部１２１の皮膚への密着を保証する上での押圧を確保するため、不図示のばねにより、矢印１４１ｂの方向へ付勢されている（たとえば１５０ｇｆ程度の付勢力）。そして、センサ部１２１の接触面１２３全体が被検者の腋窩の皮膚に均等に押し当てられ、かつ、センサ部１２１が矢印１４１ａの方向（先端面１２２と略直交する方向、すなわち先端面１２２の法線方向）に所定量（例えば１ｍｍ〜１０ｍｍ、本実施形態では３ｍｍ）スライドすると、測定が開始されるよう構成されている（以下、矢印１４１ａの方向をスライド方向と称す）。
【００２１】
具体的には、ユーザが電源スイッチ１１１をオンして体内水分計１００を動作状態とした後、センサ部１２１が矢印１４１ａ方向へ所定量以上押圧されると、体内水分量の測定が開始される。あるいは、ユーザが電源スイッチ１１１をオンして体内水分計１００を動作状態とした後、センサ部１２１の接触面１２３全体が被検者の腋窩に均等に所定負荷（例えば２０ｇｆ〜２００ｇｆ、さらに好ましくは１００ｇｆ〜１９０ｇｆ、本実施形態では１５０ｇｆ）で押し当てられたことが検知されると、体内水分量の測定が開始される。このような仕組みにより、測定時におけるセンサ部１２１の接触面１２３の腋窩への密着の程度を一定にすることができる。
【００２２】
＜２．体内水分計の使用例＞
次に、体内水分計１００の使用例について説明する。図２は、体内水分計１００の使用例を説明するための図である。
【００２３】
図２の２ａは、被検者の左上半身を示しており、図２の２ｂは、図２の２ａのａ−ａ断面を模式的に示したものである。
【００２４】
図２の２ｂに示すように、体内水分計１００は、センサ部１２１が、被検者の左上腕と左胸壁との間の腋窩に押し当てられた状態で、被検者の体内水分量の測定を行う。
【００２５】
センサ部１２１を腋窩に押し当てるにあたり、測定者は、センサ部１２１が上側を向くように体内水分計１００の把持領域１１８を右手で把持し、被検者の前方下側から、腋窩に向かって、センサ部１２１を挿入する。
【００２６】
上述したように、体内水分計１００の挿入部１２０は緩やかに湾曲しているため、被検者の前方下側から腋窩に向かって挿入した際に、上腕の前側の側壁と体内水分計１００とが干渉することはなく、また、測定者の右手が被検者の上腕と干渉することもなくセンサ部１２１を腋窩に略直角に押し当てることができる。
【００２７】
＜３．体内水分計１００の機能構成＞
次に、体内水分計１００の機能構成について説明する。図３は、体内水分計１００の機能構成を示すブロック図である。
【００２８】
図３において、制御部３０１は、ＣＰＵ３０２、メモリ３０３を有し、ＣＰＵ３０２はメモリ３０３に格納されているプログラムを実行することにより、体内水分計１００における種々の制御を実行する。
【００２９】
例えば、ＣＰＵ３０２は、図５のフローチャートにより後述する表示部１１２の表示制御、ブザー３２２やＬＥＤランプ３２３の駆動制御、体内水分量の測定（本実施形態では静電容量測定）などを実行する。メモリ３０３は、不揮発性メモリと揮発性メモリとを含み、不揮発性メモリはプログラムメモリとして、揮発性メモリはＣＰＵ３０２の作業メモリとして利用される。
【００３０】
電源部３１１は、交換が可能なバッテリー、或いは充電が可能なバッテリーを有しており、体内水分計１００の各部へ電源を供給する。電圧レギュレータ３１２は、制御部３０１等へ一定電圧（例えば、２．３Ｖ）を供給する。電池残量検出部３１３は、電源部３１１から供給される電圧値に基づいて、電池の残量を検出し、その検出結果を制御部３０１に通知する。制御部３０１は、電池残量検出部３１３からの電池残量検出信号に基づいて、電池表示部１３３の表示を制御する。
【００３１】
電源スイッチ１１１が押下されると、各部への電源部３１１からの電力供給が開始される。そして、制御部３０１は、電源スイッチ１１１のユーザによる押下が１秒以上継続したことを検出すると、電源部３１１からの各部への電源供給を維持させ、体内水分計１００を動作状態とする。測定スイッチ３１４は、センサ部１２１が矢印１４１ａの方向へ所定量以上押されるとオン状態になる（つまり、押圧状態を検出する押圧検出部として機能する）。制御部３０１は、センサ部１２１が矢印１４１ａ方向へ所定量以上押圧されると、水分量の測定を開始する。なお、電源部３１１の消耗を防止するために、体内水分計１００が動作状態になってから２分経過しても水分量の測定が開始されない場合は、制御部３０１は自動的に体内水分計１００を電源オフの状態へと移行させる。
【００３２】
測定回路３２１は、水分量検出部３２５と接続され、静電容量を測定する。図４は、測定回路３２１の構成例を示す図である。図４に示すように、インバータ４０１、４０２、抵抗４０３、４０４、被検者容量４１０によりＣＲ発振回路が形成される。被検者容量４１０によって出力信号４０５の発振周波数が変化するので、制御部３０１は、出力信号４０５の周波数を計測することにより、被検者容量４１０を算出する。
【００３３】
図３に戻る。表示部１１２は、図１で説明したような表示を制御部３０１の制御下で行う。また、バックライト部３２６を備え、制御部３０１により、点灯／消灯が制御される。
【００３４】
ブザー３２２は、体内水分量の測定を開始した際や測定が完了した際に鳴動し、測定の開始や完了をユーザに報知する。ＬＥＤランプ３２３もブザー３２２と同様の報知を行う。すなわち、ＬＥＤランプ３２３は、体内水分量の測定を開始した際や、測定が完了した際に点灯し、測定の開始や完了をユーザに報知する。計時部３２４は、電源がオフの状態であっても電源部３１１からの電源供給を受けて動作し、動作状態においては時刻を制御部３０１に通知する。
【００３５】
＜４．体内水分計の動作＞
以上のような構成を備えた、本実施形態に係る体内水分計１００の動作（水分量測定処理）を、図５のフローチャートを参照して説明する。
【００３６】
電源スイッチ１１１が押下され、各部への電源部３１１からの電源の供給が開始されると、ステップＳ５０１では、制御部３０１が、被検者の腋窩の体表面に対するセンサ部１２１の押圧状態を監視し、測定開始の条件を満たしているか否か（測定スイッチ３１４のオン状態が所定時間継続したか否か）を判定する。
【００３７】
ステップＳ５０１において、センサ部１２１の押圧状態が、測定開始の条件を満たしていると判定された場合には、ステップＳ５０１からステップＳ５０２へと進む。一方、ステップＳ５０１において、センサ部１２１の押圧状態が、測定開始の条件を満たしていないと判定された場合には、測定開始の条件を満たしていると判定されるまで待機する。
【００３８】
ステップＳ５０２では、ブザー３２２を鳴動させるかＬＥＤランプ３２３を点灯させるなどしてセンサ部１２１の押圧状態が、測定開始の条件を満たしたことをユーザに報知する。そして、ステップＳ５０３では、測定回路３２１からの出力信号４０５の発振周波数の計測を開始することで測定を開始する。
【００３９】
ステップＳ５０３において開始された発振周波数の計測が完了すると、ステップＳ５０４に進み、ブザー３２２を鳴動させるかＬＥＤランプ３２３を点滅させるなどして測定が完了したことをユーザに報知する。
【００４０】
ステップＳ５０５では、ステップＳ５０３において計測された出力信号４０５の発振周波数に基づいて、被検者の体内水分量を算出する。
【００４１】
ステップＳ５０６では、ステップＳ５０５で算出された体内水分量が所定の閾値を超えるか否かに基づいて、被検者が脱水状態か否かを判定する。なお、この場合の閾値としては、例えば、水を１００％、空気を０％とした時の３５％に相当する値が望ましい。
【００４２】
ステップＳ５０７では、今回の測定情報をメモリ３０３に格納する。ステップＳ５０８では、今回の測定により算出された体内水分量を表示部１１２に表示する。このとき、脱水状態か非脱水状態かの判定結果に応じた表示形態により表示を行う（例えば、脱水状態の場合には、赤色にて体内水分量を表示し、非脱水状態の場合には、青色にて体内水分量を表示する）。
【００４３】
更に、ステップＳ５０９では、バックライト部３２６を点灯し、ステップＳ５１０では、バックライト部３２６が点灯してから所定時間（例えば、１０秒）が経過したか否かを判定し、所定時間が経過していないと判定された場合には、所定時間が経過するまで待機する。
【００４４】
一方、ステップＳ５１０において、所定時間が経過したと判定された場合には、ステップＳ５１１に進み、バックライト部３２６を消灯する。
【００４５】
以上の説明から明らかなように、本実施形態に係る体内水分計１００では、測定結果を表示する表示部１１２にバックライト部３２６を設け、測定が完了し、表示部１１２に表示するタイミングで、所定時間点灯させる構成とした。
【００４６】
これにより、測定時の周辺環境が暗い場合であっても、測定者は、測定結果を確実に視認することが可能となる。つまり、周辺環境によらず、被検者の生体内の水分量を正しく把握することが可能となる。
【００４７】
［第２の実施形態］
上記第１の実施形態では、表示部１１２に設けられたバックライト部３２６を、測定が完了し、測定結果を表示部１１２に表示するタイミングで、自動的に、所定時間点灯させる構成とした。しかしながら、本発明はこれに限定されず、例えば、測定完了時以外においても点灯できる構成としてもよい。
【００４８】
具体的には、バックライト部３２６の点灯／消灯を指示するためのスイッチを別途設け、測定完了時以外においては、測定者による当該スイッチのＯＮ／ＯＦＦに従って、バックライト部３２６の点灯／消灯を制御する構成としてもよい。
【００４９】
測定完了時以外において（例えば、測定者が被検者の過去の測定結果を読み出して参照したい場合等において）、周辺環境が暗い場合であっても、バックライト部３２６を測定者の指示に基づいて点灯させることで、測定者は当該過去の測定結果を正しく視認することができるようになるからである。
【００５０】
［第３の実施形態］
上記第１及び第２の実施形態では、被検者の生体内の水分量を正しく把握するにあたり、測定者が測定結果を正しく視認できるようにする構成に着目し、表示部１１２にバックライト部３２６を設けることとしたが、本発明はこれに限定されない。
【００５１】
例えば、測定者が適確に測定できるようにする構成に着目し、周辺環境が暗い場合であっても、被検者の測定部位（腋窩）に体内水分計のセンサ部１２１を適確に押圧させることができる構成としてもよい。以下、本実施形態の詳細について説明する。
【００５２】
＜１．体内水分計の外観構成＞
はじめに、本実施形態に係る体内水分計６００、６１０の外観構成について説明する。図６は、本実施形態に係る体内水分計６００、６１０の外観構成の一例を示す図である。なお、上記第１の実施形態において、図１を用いて説明した外観構成の各構成要素と同様の構成要素については、同じ参照番号を付すこととし、ここでは説明を省略する（以下では、図１との相違点を中心に説明する）。
【００５３】
図６の６ａの紙面左側は、挿入部１２０の先端面１２２を正面から見た様子を示している。６ａにおいて、６０１は先端ライト部であり、ビーム光を発光する発光部として内蔵された半導体レーザから出射されたレーザ光を、先端面１２２に略直交する方向（スライド方向に平行な方向）に出力する。
【００５４】
このように、挿入部１２０の先端面１２２からスライド方向にレーザ光等のビーム光を出力する構成とすることにより、被検者の腋窩において、測定者は、センサ部１２１の接触面１２３が接触されるべき位置を、照射することができる。つまり、周辺環境が暗く、測定時に接触面１２３が見えない場合であっても、当該レーザ光により接触面１２３が接触する位置を視認することが可能となる。なお、出射するレーザ光の色は、赤色であっても青色であっても、あるいはその他の色であってもよい。
【００５５】
図６の６ｂの紙面右側は、本体部１１０の後端面１１３を正面から見た様子を示している。６ｂにおいて、６０２は後端ライト部であり、内蔵されたＬＥＤから出射された光を出力する。
【００５６】
このように、本体部１１０の後端面１１３から光を出力する構成とすることにより、被検者の腋窩近傍において、測定者の手元を照らすことが可能となる。つまり、測定者は、周辺環境が暗い場合であっても、測定時に測定部位近傍を視認することができる。
【００５７】
なお、後端ライト部６０２の表面にはＬＥＤから出射された光を広範囲に拡散させる光拡散部材が配されているものとする。これにより、測定者の手元をより広範囲に照らすことができるからである。
【００５８】
なお、図６の６ａでは、挿入部１２０の先端面１２２からレーザ光を出力する場合を例示し、図６の６ｂでは、本体部１１０の後端面１１３から光を出力する場合を例示したが、本発明はいずれか一方が出力される場合に限定されるものではなく、両方が出力される構成であってもよい。
【００５９】
＜２．体内水分計の動作＞
次に、本実施形態に係る体内水分計６００、６１０の動作（水分量測定処理）を、図７のフローチャートを参照して説明する。
【００６０】
電源スイッチ１１１が押下され、各部への電源部３１１からの電源の供給が開始されると、ステップＳ７０１では、制御部３０１が、先端ライト部６０１及び／又は後端ライト部６０２を点灯させる。
【００６１】
ステップＳ５０１では、制御部３０１が、被検者の腋窩の体表面に対するセンサ部１２１の押圧状態を監視し、測定開始の条件を満たしているか否かを判定する。
【００６２】
ステップＳ５０１において、センサ部１２１の押圧状態が、測定開始の条件を満たしていると判定された場合には、ステップＳ５０１からステップＳ７０２へと進む。一方、ステップＳ５０１において、センサ部１２１の押圧状態が、測定開始の条件満たしていないと判定された場合には、測定開始の条件を満たしていると判定されるまで待機する。
【００６３】
ステップＳ７０２では、先端ライト部６０１及び後端ライト部６０２を消灯する。また、ステップＳ５０２では、ブザー３２２を鳴動させるかＬＥＤランプ３２３を点灯させるなどして、センサ部１２１の押圧状態が、測定開始の条件を満たしたことをユーザに報知する。以降、ステップＳ５０３からＳ５１１までの処理は、上記第１の実施形態において、図５を用いて説明したステップＳ５０３からＳ５１１までの処理と同じであるため、ここでは説明を省略する。
【００６４】
以上の説明から明らかなように、本実施形態に係る体内水分計６００、６１０では、先端面１２２または後端面１１３に、先端ライト部６０１または後端ライト部６０２を設け、体内水分計６００、６１０の電源部３１１からの電源の供給が開始されてから、測定開始の条件を満たすまでの間、光を出力する構成とした。
【００６５】
これにより、測定時の周辺環境が暗い場合であっても、測定者は、測定部位または測定部位近傍を確実に視認することが可能となる。つまり、周辺環境によらず、被検者の生体内の水分量を適確に把握することが可能となる。
【００６６】
［第４の実施形態］
上記第３の実施形態では、電源部３１１からの電源の供給が開始されてから、測定開始の条件が満たされるまでの間、自動的に、先端ライト部６０１または後端ライト部６０２を点灯させる構成とした。しかしながら、本発明はこれに限定されず、例えば、測定者の指示に基づいて点灯できる構成としてもよい。
【００６７】
具体的には、先端ライト部６０１または後端ライト部６０２の点灯／消灯を指示するためのスイッチを別途設け、測定者による当該スイッチのＯＮ／ＯＦＦに従って、先端ライト部６０１または後端ライト部６０２の点灯／消灯を制御する構成としてもよい。
【００６８】
［第５の実施形態］
上記第２及び第４の実施形態では、表示部１１２のバックライト部３２６の点灯／消灯を指示するためのスイッチ、並びに、先端ライト部６０１または後端ライト部６０２の点灯／消灯を指示するためのスイッチのＯＮ／ＯＦＦに従って、バックライト部３２６の点灯／消灯、先端ライト部６０１または後端ライト部６０２の点灯／消灯を制御する構成としたが、本発明はこれに限定されない。
【００６９】
例えば、体内水分計内に加速度センサ部を配し、体内水分計の短軸方向（長軸方向と略直交する方向）の傾きを検知することで、体内水分計を把持した測定者の動きを判断し、当該動きに応じて、自動的に点灯／消灯を制御する構成としてもよい。以下、本実施形態の詳細について説明する。
【００７０】
＜１．体内水分計の機能構成＞
はじめに、本実施形態に係る体内水分計８００の機能構成について説明する。図８は、本実施形態に係る体内水分計８００の機能構成を示す図である。なお、上記第１の実施形態において図３を用いて説明した体内水分計１００の機能構成と同様の構成については、同じ参照番号を付すこととし、ここでは説明を省略する（以下では、図１との相違点を中心に説明する）。
【００７１】
図１との相違点は、加速度センサ部８０１と発光部８０２が配されている点である。加速度センサ部８０１は、体内水分計８００の短軸方向の加速度を検出するセンサであり、制御部３０１では、加速度センサ部８０１からの信号出力（検出結果）に基づいて、体内水分計８００の短軸方向の傾きを算出する。また、発光部８０２は、例えば、ビーム光としてレーザ光を出射する半導体レーザである。
【００７２】
＜２．体内水分計の短軸方向の傾きと点灯／消灯の制御との関係＞
次に、体内水分計８００の短軸方向の傾きと、表示部１１２のバックライト部３２６の点灯／消灯、及び、先端ライト部６０１の点灯／消灯との関係について説明する。図９は、体内水分計８００の短軸方向の傾きと、表示部１１２のバックライト部３２６の点灯／消灯、及び、先端ライト部６０１の点灯／消灯との関係を示す図である。
【００７３】
図９において、９０１は体内水分計８００の挿入部１２０の先端面１２２を正面から見た様子を示しており、短軸方向の傾きが０度の場合を示している。また、９１１は、短軸方向の傾きが０度の場合における表示部１１２を正面から（つまり、体内水分計８００の側面側から）見た様子を示している。
【００７４】
９０１及び９１１に示すように、体内水分計８００の短軸方向の傾きが０度の場合、測定者にとって表示部１１２が見やすい状態にあるため、体内水分計８００では、測定者が表示部１１２を見ていると判断し、バックライト部３２６を点灯する。一方、測定者が表示部１１２を見ている状態では、測定は行われていないと判断し、先端ライト部６０１は消灯する。
【００７５】
９０２は、短軸方向の傾きが４５度の場合において、挿入部１２０の先端面１２２を正面から見た様子を示している。また、９１２は、短軸方向の傾きが４５度の場合において表示部１１２を正面から（つまり、体内水分計８００の側面側から）見た様子を示している。
【００７６】
９０２及び９１２に示すように、体内水分計８００の短軸方向の傾きが４５度の場合、測定者にとって表示部１１２は見にくい状態にあるため、体内水分計８００では、測定者が表示部１１２を見ていない状態にあると判断し、バックライト部３２６を消灯する。また、測定の際の動作と無関係な傾きであるため、測定も行われていないと判断し、先端ライト部６０１も消灯する。
【００７７】
９０３は、短軸方向の傾きが９０度の場合において、挿入部１２０の先端面１２２を正面から見た様子を示している。また、９１３は、短軸方向の傾きが９０度の場合において表示部１１２を正面から（つまり、体内水分計８００の側面側から）見た様子を示している。
【００７８】
９０３及び９１３に示すように、体内水分計８００の短軸方向の傾きが９０度の場合、測定者にとって表示部１１２は見にくい状態にあるため、体内水分計８００では、測定者が表示部１１２を見ていない状態にあると判断し、バックライト部３２６を消灯する。一方、体内水分計８００の短軸方向の傾きが９０度の場合、測定者が左手に体内水分計８００を把持し、被検者の右側の腋窩に体内水分計８００を挿入しようとしている動作が想定されるため、先端ライト部６０１を点灯する。
【００７９】
９０４〜９０６は、短軸方向の傾きがそれぞれ１３５、１８０、２２５度の場合において、挿入部１２０の先端面１２２を正面から見た様子を示している。また、９１４〜９１６は、短軸方向の傾きがそれぞれ１３５度、１８０度、２２５度の場合において、表示部１１２を正面から（つまり、体内水分計８００の側面側から）見た様子を示している。
【００８０】
９０４に示すように、体内水分計８００の短軸方向の傾きが１３５度の場合、測定者が左手に体内水分計８００を把持し、被検者の右側の腋窩に体内水分計８００を挿入しようとしている動作が想定されるため、先端ライト部６０１を点灯する。また、体内水分計８００の短軸方向の傾きが１８０度の場合、測定者が左手に体内水分計８００を把持し、被検者の右側の腋窩に体内水分計８００を挿入しようとしている動作と、測定者が右手に体内水分計８００を把持し、被検者の左側の腋窩に体内水分計８００を挿入しようとしている動作と、が想定される。このため、いずれにしても測定が行われていると判断し、先端ライト部６０１を点灯する。また、体内水分計８００の短軸方向の傾きが２２５度の場合、測定者が右手に体内水分計８００を把持し、被検者の左側の腋窩に体内水分計８００を挿入しようとしている動作が想定されるため、先端ライト部６０１を点灯する。
【００８１】
一方、体内水分計８００の短軸方向の傾きが１３５、１８０、２２５度の場合、いずれも、測定者にとって表示部１１２は見にくい状態にあるため、体内水分計８００では、測定者が表示部１１２を見ていない状態にあると判断し、バックライト部３２６を消灯する。
【００８２】
９０７は、短軸方向の傾きが２７０度の場合において、挿入部１２０の先端面１２２を正面から見た様子を示している。また、９１７は、短軸方向の傾きが２７０度の場合において、表示部１１２を正面から（つまり、体内水分計８００の側面側から）見た様子を示している。
【００８３】
９０７に示すように、体内水分計８００の短軸方向の傾きが２７０度の場合、測定者が右手に体内水分計８００を把持し、被検者の左側の腋窩に体内水分計８００を挿入しようとしている動作が想定されるため、先端ライト部６０１を点灯する。また、測定者が表示部１１２の表示を見ようとしている状態にあるとも判断できるため、９１７に示すように、表示部１１２のバックライト部３２６も点灯する。
【００８４】
９０８は、短軸方向の傾きが３１５度の場合において、挿入部１２０の先端面１２２を正面から見た様子を示している。また、９１８は、短軸方向の傾きが３１５度の場合において、表示部１１２を正面から（つまり、体内水分計８００の側面側から）見た様子を示している。
【００８５】
９０８に示すように、体内水分計８００の短軸方向の傾きが３１５度の場合、測定は行われていないと判断し、先端ライト部６０１は消灯する。一方、９１８に示すように、体内水分計８００の短軸方向の傾きが３１５度の場合、測定者にとって表示部１１２が見やすい状態にあるため、体内水分計８００では、測定者が表示部１１２を見ていると判断し、バックライト部３２６を点灯する。
【００８６】
以上のとおり、体内水分計８００の短軸方向の傾きに基づいて測定者の動作を判断することで、バックライト部３２６及び先端ライト部６０１の点灯／消灯について、測定者の動きに応じた制御を行うことが可能となる。
【００８７】
なお、上記説明では、先端ライト部６０１について説明したが、後端ライト部６０２についても、先端ライト部６０１と同様に自動的に点灯／消灯するよう構成されているものとする。
【００８８】
＜３．水分量測定処理の流れ＞
次に、本実施形態に係る体内水分計８００の動作（水分量測定処理）を、図１０Ａ、図１０Ｂのフローチャートを参照して説明する。
【００８９】
電源スイッチ１１１が押下され、各部への電源部３１１からの電源の供給が開始されると、ステップＳ１００１では、加速度センサ部８０１からの信号出力（検出結果）に基づいて、体内水分計８００の短軸方向の傾きを算出する処理を開始する。
【００９０】
ステップＳ１００２では、ステップＳ１００１において算出された、体内水分計８００の短軸方向の傾きに基づいて、測定者が測定状態にあるのか（“測定モード”にあるのか）、表示部を見ている（または見ようとしている）状態にあるのか（“表示モード”にあるのか）を判断する。
【００９１】
ステップＳ１００２において、測定モードにあると判断された場合には、ステップＳ１００３に進み、先端ライト部６０１及び／又は後端ライト部６０２を点灯し、ステップＳ５０１に進む。一方、ステップＳ１００２において、表示モードにあると判断された場合には、ステップＳ１００４に進み、バックライト部３２６を点灯し、ステップＳ５０１に進む。
【００９２】
ステップＳ５０１では、センサ部１２１の押圧状態が、測定開始の条件を満たしていると判定された場合には、ステップＳ５０１からステップＳ１００５へと進む。一方、ステップＳ５０１において、センサ部１２１の押圧状態が、測定開始の条件を満たしていないと判定された場合には、測定開始の条件を満たしていると判定されるまで待機する。
【００９３】
ステップＳ１００５では、ステップＳ１００３において先端ライト部６０１または後端ライト部６０２が点灯した場合にあっては、当該先端ライト部６０１または後端ライト部６０２を消灯する。また、ステップＳ１００４においてバックライト部３２６を点灯した場合にあっては、当該バックライト部３２６を消灯する。
【００９４】
以降、ステップＳ５０２からＳ５１１までの処理は、上記第１の実施形態において図４を用いて説明した、ステップＳ５０２からＳ５１１までの処理と同様であるため、ここでは説明を省略する。
【００９５】
ステップＳ１００６では、測定者により電源をオフにする旨の指示が入力されたか否かを判断する。ステップＳ１００６において、電源をオフにする旨の指示が入力されていないと判断した場合には、図１０ＡのステップＳ１００２に戻る。一方、ステップＳ１００６において、電源をオフにする旨の指示が入力されたと判断した場合には、水分量測定処理を終了する。
【００９６】
以上の説明から明らかなように、本実施形態に係る体内水分計８００では、加速度センサ部を配し、体内水分計８００の短軸方向の傾きを算出する構成とした。また、算出された短軸方向の傾きに基づいて、測定者が測定状態にあるのか（測定モードにあるのか）、表示部を見ている（または見ようとしている）状態にあるのか（表示モードにあるのか）を判断する構成とした。
【００９７】
更に、測定状態にあると判断した場合には、先端ライト部６０１または後端ライト部６０２を自動的に点灯させ、測定状態にないと判断した場合には、先端ライト部６０１及び後端ライト部６０２を自動的に消灯させる構成とした。また、測定者が表示部１１２を見ている（または見ようとしている）状態にあると判断した場合には、表示部１１２のバックライト部３２６を点灯させ、表示部１１２を見ていない状態にあると判断した場合には、表示部１１２のバックライト部３２６を消灯させる構成とした。
【００９８】
これにより、測定時の周辺環境が暗い場合であっても、測定者は、体内水分計の先端を確実に被検者の測定部位に押し当てることが可能になるとともに、測定結果を確実に視認することが可能となる。つまり、周辺環境によらず、被検者の生体内の水分量を正しく把握することができる。
【００９９】
［第６の実施形態］
上記第５の実施形態では、体内水分計の短軸方向の傾きに応じて、表示部１１２のバックライト部３２６の点灯／消灯、先端ライト部６０１または後端ライト部６０２の点灯／消灯を制御する構成としたが、本発明はこれに限定されない。
【０１００】
例えば、体内水分計の短軸方向の傾きに応じて、表示部１１２のバックライト部３２６の点灯／消灯、先端ライト部６０１または後端ライト部６０２の点灯／消灯を制御するモードとして、“夜間モード”を設け、当該夜間モードに移行した場合にのみ、自動制御を行い、それ以外のモード（“通常モード”）では、自動制御を行わない構成としてもよい。
【０１０１】
なお、夜間モードと通常モードとの切り換えは、例えば、測定者が手動で切り換えるようにしてもよいし、周辺環境の暗さ（または明るさ）を検知し、自動的に切り換えられるようにしてもよい。更に、夜間モードにおける自動制御により、バックライト部３２６、先端ライト部６０１または後端ライト部６０２のいずれかが点灯した場合であっても、所定時間体内水分計の短軸方向の傾きが変わらなかった場合や、所定時間測定者が各種スイッチを操作しなかった場合においては、自動的に消灯する構成としてもよい。以下、本実施形態に係る体内水分計について説明する。
【０１０２】
図１１は、本実施形態に係る体内水分計１１００のモード遷移を示す図である。図１１に示すように、体内水分計１１００は、“通常モード”と“夜間モード”とを備えており、通常モードから夜間モードへの切り換え、及び、夜間モードから通常モードへの切り換えは、いずれも測定者が所定のスイッチを操作することにより、手動で切り換えられるものとする。
【０１０３】
ただし、モード切り換えは、手動に限定されるものではなく、例えば、周辺環境の暗さ（または明るさ）を検知する環境センサ部を配し、当該環境センサ部の出力に応じて、自動的に切り換えるように構成してもよい。
【０１０４】
夜間モードには、“測定モード”、“表示モード”、“省電力モード”が含まれる。測定モードとは、測定者が体内水分計１１００を把持し、被検者の体内水分量を測定している（または測定しようとしている）状態にあると判断し、先端ライト部６０１（または後端ライト部６０２）を点灯させるモードである。具体的には、体内水分計１１００の短軸方向の傾きが９０度以上２７０度以下にある場合である。
【０１０５】
表示モードとは、測定者が体内水分計１１００を把持し、表示部１１２の表示内容を見ている（または見ようとしている）状態にあると判断し、表示部１１２のバックライト部３２６を点灯させるモードである。具体的には、体内水分計の短軸方向の傾きが２７０度以上３６０度以下にある場合である。
【０１０６】
一方、省電力モードとは、表示モードに移行した後、所定時間、体内水分計１１００の短軸方向の傾きに変動がないか、測定者による操作がなかった場合に移行し、表示部１１２のバックライト部３２６を消灯させるモードである。あるいは、測定モードに移行した後、所定時間、体内水分計１１００の短軸方向の傾きに変動がないか、測定者による操作がなかった場合に移行し、先端ライト部６０１または後端ライト部６０２を消灯させるモードである。
【０１０７】
このように、各種モードを設けることで、先端ライト部６０１、６０２及びバックライト部３２６が不必要に点灯してしまい、電池を無駄に消費してしまうといった事態を回避することが可能となる。
【０１０８】
［その他の実施形態］
本発明は上記実施の形態に制限されるものではなく、本発明の精神及び範囲から離脱することなく、様々な変更及び変形が可能である。従って、本発明の範囲を公にするために、以下の請求項を添付する。
【図１】
0005941170.tif 000002
【図２】
0005941170.tif 000003
【図３】
0005941170.tif 000004
【図４】
0005941170.tif 000005
【図５】
0005941170.tif 000006
【図６】
0005941170.tif 000007
【図７】
0005941170.tif 000008
【図８】
0005941170.tif 000009
【図９】
0005941170.tif 000010
【図１０Ａ】
0005941170.tif 000011
【図１０Ｂ】
0005941170.tif 000012
【図１１】
0005941170.tif 000013